(57)【要約】【課題】装置の効率の低下を抑制しつつＬＥＤの点灯不可を回避可能なＬＥＤ駆動装置を提供する。【解決手段】ＤＣ／ＤＣコンバータ２０は、非同期整流型の昇圧チョッパ回路である。スイッチング素子Ｑ２は、駆動装置５０内に設けられ、ＤＣ／ＤＣコンバータ２０のＳＢＤ２６に並列に接続される。スイッチング素子Ｑ２は、ＳＢＤ２６のオープン故障が発生していない場合にはオフである。オープン故障が発生した場合に、カレントドライバ６０は、オープン故障が発生していない場合に比べてＬＥＤ列１０に流れる電流が小さくなるように電流を調整し、コントローラ７０は、スイッチング素子Ｑ１と同期してスイッチング素子Ｑ２をスイッチング駆動する。【選択図】図１
2020198243.tif 000002
【特許請求の範囲】
【請求項１】
ＬＥＤへ電力を供給するように構成されたＤＣ／ＤＣコンバータと、
前記ＬＥＤに流れる電流を調整するように構成された電流ドライバと、
前記ＤＣ／ＤＣコンバータを駆動するように構成された駆動装置とを備え、
前記ＤＣ／ＤＣコンバータは、コイルと第１のスイッチング素子とダイオードとを含んで構成される非同期整流型の昇圧チョッパ回路であり、さらに、
前記ダイオードに並列に接続される第２のスイッチング素子を備え、
前記第２のスイッチング素子は、前記ダイオードのオープン故障が発生していない場合にはオフであり、
前記オープン故障が発生した場合に、
前記電流ドライバは、前記オープン故障が発生していない場合に比べて前記電流が小さくなるように前記電流を調整し、
前記駆動装置は、前記第１のスイッチング素子と同期して前記第２のスイッチング素子を駆動する、ＬＥＤ駆動装置。
【請求項２】
前記第２のスイッチング素子のサイズは、前記第１のスイッチング素子のサイズよりも小さい、請求項１に記載のＬＥＤ駆動装置。
【請求項３】
前記第２のスイッチング素子は、前記駆動装置内に設けられる、請求項１又は請求項２に記載のＬＥＤ駆動装置。
【請求項４】
前記ダイオードのアノード若しくはカソードの電圧、又は前記ダイオードに流れる電流を検出するように構成された検出器をさらに備え、
前記駆動装置は、前記検出器の出力に基づいて、前記オープン故障が発生しているか否かを判定する、請求項１から請求項３のいずれか１項に記載のＬＥＤ駆動装置。
【請求項５】
前記ダイオードは、ショットキーバリアダイオードである、請求項１から請求項４のいずれか１項に記載のＬＥＤ駆動装置。
【請求項６】
請求項１から請求項５のいずれか１項に記載のＬＥＤ駆動装置と、
前記ＬＥＤ駆動装置によって駆動されるＬＥＤとを備える表示装置。
【請求項７】
ＬＥＤ駆動装置の制御装置であって、
前記ＬＥＤ駆動装置は、
ＬＥＤへ電力を供給するように構成されたＤＣ／ＤＣコンバータと、
前記ＬＥＤに流れる電流を調整するように構成された電流ドライバとを含み、
前記ＤＣ／ＤＣコンバータは、コイルと第１のスイッチング素子とダイオードとを含んで構成される非同期整流型の昇圧チョッパ回路であり、
前記制御装置は、
前記ダイオードに並列に接続される第２のスイッチング素子と、
コントローラとを備え、
前記第２のスイッチング素子は、前記ダイオードのオープン故障が発生していない場合にはオフであり、
前記コントローラは、前記オープン故障が発生した場合に、前記オープン故障が発生していない場合に比べて前記電流が小さくなるように前記電流ドライバを制御するとともに、前記第１のスイッチング素子と同期して前記第２のスイッチング素子を駆動するように構成される、ＬＥＤ駆動装置の制御装置。
【発明の詳細な説明】
【技術分野】
【０００１】
本開示は、ＬＥＤ駆動装置及びそれを備える表示装置、並びにＬＥＤ駆動装置の制御装置に関する。
【背景技術】
【０００２】
省エネルギ光源としてのＬＥＤ（Light  Emitting  Diode）の用途が近年ますます拡大している。ＬＥＤの駆動には、ＬＥＤの順方向電圧−電流特性と発光特性とから、ＬＥＤに定電流を供給するためのＬＥＤドライバが用いられる。
【０００３】
たとえば、特開２０１８−１９４９８号公報（特許文献１）には、スイッチング電源回路を用いたＬＥＤドライバが開示されている。このＬＥＤドライバは、ＬＥＤへ電流を供給するＤＣ／ＤＣコンバータと、ＬＥＤに流れる電流を調整するカレントドライバとを含む。ＤＣ／ＤＣコンバータは、コイルとスイッチング素子とダイオードとを含む非同期整流型のチョッパ回路によって構成される。このような構成により、高効率（低損失）でＬＥＤを駆動することができる（特許文献１参照）。
【先行技術文献】
【特許文献】
【０００４】
【特許文献１】特開２０１８−１９４９８号公報
【発明の概要】
【発明が解決しようとする課題】
【０００５】
ＤＣ／ＤＣコンバータを構成するチョッパ回路が昇圧型の場合、チョッパ回路を構成するダイオードのオープン故障が発生すると、ＤＣ／ＤＣコンバータからＬＥＤへ電流を供給することができず、ＬＥＤが点灯不可となる。これに備えて、上記ダイオードを予めスイッチング素子に置き換えた同期整流型のＤＣ／ＤＣコンバータを構成することも考えられる。しかしながら、同期整流型のＤＣ／ＤＣコンバータにすると、装置の消費電力が大きくなるとともに効率も低下する。このような問題について、上記の特許文献１では特に検討されていない。
【０００６】
本開示は、かかる問題を解決するためになされたものであり、その目的は、装置の効率の低下を抑制しつつＬＥＤの点灯不可を回避可能なＬＥＤ駆動装置及びそれを備える表示装置、並びにＬＥＤ駆動装置の制御装置を提供することである。
【課題を解決するための手段】
【０００７】
本開示のＬＥＤ駆動装置は、ＬＥＤへ電力を供給するように構成されたＤＣ／ＤＣコンバータと、ＬＥＤに流れる電流を調整するように構成された電流ドライバと、ＤＣ／ＤＣコンバータを駆動するように構成された駆動装置とを備える。ＤＣ／ＤＣコンバータは、コイルと第１のスイッチング素子とダイオードとを含んで構成される非同期整流型の昇圧チョッパ回路である。ＬＥＤ駆動装置は、上記ダイオードに並列に接続される第２のスイッチング素子をさらに備える。第２のスイッチング素子は、ダイオードのオープン故障が発生していない場合にはオフである。オープン故障が発生した場合に、電流ドライバは、オープン故障が発生していない場合に比べてＬＥＤに流れる電流が小さくなるように電流を調整し、駆動装置は、第１のスイッチング素子と同期して第２のスイッチング素子を駆動する。
【０００８】
上記のＬＥＤ駆動装置においては、ＤＣ／ＤＣコンバータは、非同期整流型のチョッパ回路によって構成されるので、同期整流型のＤＣ／ＤＣコンバータが採用される場合に比べて、装置の効率の低下を抑制することができる。ＤＣ／ＤＣコンバータのダイオードのオープン故障が発生すると、第１のスイッチング素子と同期して第２のスイッチング素子が駆動されるので、ＬＥＤが不点灯となるのを回避することができる。また、ダイオードのオープン故障が発生すると、オープン故障が発生していない場合に比べてＬＥＤに流れる電流を小さくするので、第２のスイッチング素子のサイズを抑えることができる。
【０００９】
第２のスイッチング素子のサイズは、第１のスイッチング素子のサイズよりも小さくてもよい。また、第２のスイッチング素子は、駆動装置内に設けられてもよい。
【００１０】
ＬＥＤ駆動装置は、上記ダイオードのアノード若しくはカソードの電圧、又はダイオードに流れる電流を検出するように構成された検出器をさらに備えてもよい。そして、駆動装置は、検出器の出力に基づいて、ダイオードのオープン故障が発生しているか否かを判定してもよい。
【００１１】
上記のダイオードは、ショットキーバリアダイオードであってもよい。
また、本開示の表示装置は、上述したいずれかのＬＥＤ駆動装置と、ＬＥＤ駆動装置によって駆動されるＬＥＤとを備える。
【００１２】
また、本開示の制御装置は、ＬＥＤ駆動装置の制御装置である。ＬＥＤ駆動装置は、ＬＥＤへ電力を供給するように構成されたＤＣ／ＤＣコンバータと、ＬＥＤに流れる電流を調整するように構成された電流ドライバとを含む。ＤＣ／ＤＣコンバータは、コイルと第１のスイッチング素子とダイオードとを含んで構成される非同期整流型の昇圧チョッパ回路である。そして、制御装置は、ダイオードに並列に接続される第２のスイッチング素子と、コントローラとを備える。第２のスイッチング素子は、ダイオードのオープン故障が発生していない場合にはオフである。コントローラは、オープン故障が発生した場合に、オープン故障が発生していない場合に比べてＬＥＤに流れる電流が小さくなるように電流ドライバを制御するとともに、第１のスイッチング素子と同期して第２のスイッチング素子を駆動するように構成される。
【発明の効果】
【００１３】
本開示のＬＥＤ駆動装置及び表示装置、並びにＬＥＤ駆動装置の制御装置によれば、装置の効率の低下を抑制しつつＬＥＤの点灯不可を回避することができる。
【図面の簡単な説明】
【００１４】
【図１】本開示の実施の形態に従うＬＥＤドライバを用いた表示装置の全体構成を示す図である。
【図２】図１に示すＬＥＤドライバの動作例を概略的に示すタイミングチャートである。
【図３】コントローラにより実行される処理の手順の一例を示すフローチャートである。
【発明を実施するための形態】
【００１５】
以下、本開示の実施の形態について、図面を参照しながら詳細に説明する。なお、図中同一又は相当部分には同一符号を付してその説明は繰り返さない。
【００１６】
＜ＬＥＤドライバの構成＞
図１は、本開示の実施の形態に従うＬＥＤドライバを用いた表示装置の全体構成を示す図である。図１を参照して、表示装置１は、ＬＥＤ列１０と、ＤＣ／ＤＣコンバータ２０と、駆動装置５０とを備える。ＤＣ／ＤＣコンバータ２０及び駆動装置５０は、ＬＥＤ列１０を駆動するＬＥＤドライバを構成する。
【００１７】
ＬＥＤ列１０は、直列接続された複数のＬＥＤ１２を含む。この例では、４つよりも多い複数のＬＥＤ１２を含む１列のＬＥＤ列１０が示されているが、ＬＥＤ列の数は複数であってもよく、各ＬＥＤ列に含まれるＬＥＤ１２の数は４つ以下であってもよい。
【００１８】
ＤＣ／ＤＣコンバータ２０は、電源ノード２２と、コイル２４と、スイッチング素子Ｑ１と、ダイオード２６と、キャパシタ２８とを含んで構成される。コイル２４は、電源ノード２２とスイッチング素子Ｑ１との間に接続される。スイッチング素子Ｑ１は、コイル２４と接地ノードとの間に接続される。スイッチング素子Ｑ１のゲートは、駆動装置５０の外部端子Ｔ２に接続されている。この例では、スイッチング素子Ｑ１は、Ｎ型ＭＯＳＦＥＴ（Metal  Oxide  Semiconductor  Field  Effect  Transistor）であるが、ＮＰＮ型バイポーラトランジスタ等であってもよい。
【００１９】
ダイオード２６は、コイル２４とスイッチング素子Ｑ１との接続点にアノードが接続され、ＬＥＤ列１０のアノード側にカソードが接続される。この例では、ダイオード２６は、ショットキーバリアダイオード（以下「ＳＢＤ（Schottky  Barrier  Diode）」と称する。）である。ＳＢＤは、順方向電圧が小さいため、順方向の損失が小さく高効率であり、また、スイッチングが高速である。なお、ダイオード２６がＳＢＤであることは必須ではなく、ＳＢＤ以外のダイオードを採用することも可能である。キャパシタ２８は、ＳＢＤ２６のカソードが接続される電力線と接地ノードとの間に接続される。
【００２０】
これらの電源ノード２２、コイル２４、スイッチング素子Ｑ１、ＳＢＤ２６、及びキャパシタ２８によって、いわゆる非同期整流型の昇圧チョッパ回路が形成されている。駆動装置５０によってスイッチング素子Ｑ１がスイッチング制御され、電源ノード２２から供給される電力が昇圧されてＬＥＤ列１０へ供給される。
【００２１】
駆動装置５０は、カレントドライバ６０と、コントローラ７０と、スイッチング素子Ｑ２と、検出器８０とを含む。駆動装置５０は、たとえば、これらの各要素を集積化したＩＣ（Integrated  Circuit）として構成される。駆動装置５０は、外部の要素と電気的に接続するための外部端子Ｔ１〜Ｔ５をさらに備えている。
【００２２】
カレントドライバ６０は、スイッチング素子６２と、抵抗素子６４と、エラーアンプ６６とを含む。スイッチング素子６２は、ＬＥＤ列１０のカソード側が接続される外部端子Ｔ５と抵抗素子６４との間に接続される。この例では、スイッチング素子６２は、Ｎ型ＭＯＳＦＥＴであるが、ＮＰＮ型バイポーラトランジスタ等であってもよい。抵抗素子６４は、スイッチング素子６２と接地ノードとの間に接続される。
【００２３】
スイッチング素子６２と抵抗素子６４との接続点は、エラーアンプ６６の反転入力端（−）に接続される。エラーアンプ６６の非反転入力端（＋）には、コントローラ７０から基準電圧Ｖｒｅｆが与えられる。エラーアンプ６６の出力端は、スイッチング素子６２のゲートに接続される。
【００２４】
エラーアンプ６６の反転入力端（−）には、スイッチング素子６２に流れる電流（すなわちＬＥＤ列１０に流れる電流）を抵抗素子６４によって電圧に変換した検出信号（電圧）が入力される。エラーアンプ６６の非反転入力端（＋）に入力される基準電圧Ｖｒｅｆは、ＬＥＤ列１０に流れる電流の目標値を抵抗素子６４の抵抗値によって電圧に変換した信号である。
【００２５】
エラーアンプ６６は、基準電圧Ｖｒｅｆと上記検出信号（電圧）との差分を増幅した信号をスイッチング素子６２のゲートへ出力することでスイッチング素子６２を駆動する。これにより、スイッチング素子６２に流れる電流、すなわちＬＥＤ列１０に流れる電流が、基準電圧Ｖｒｅｆに対応する電流目標値に調整される。なお、カレントドライバ６０は、ＩＣの外部に設けられてもよい。
【００２６】
コントローラ７０は、外部端子Ｔ５から入力される電圧Ｖｆｂ（ＬＥＤ列１０のカソード側の電圧）を受け、電圧Ｖｆｂに基づいてＤＣ／ＤＣコンバータ２０を駆動する。具体的には、コントローラ７０は、エラーアンプと、ＰＷＭ（Pulse  Width  Modulation）回路とを含んで構成される（いずれも図示せず）。エラーアンプは、電圧Ｖｆｂが所定値（たとえば０．５Ｖ）となるように、電圧Ｖｆｂと所定値との差を増幅して出力する。ＰＷＭ回路は、エラーアンプの出力に基づいてＰＷＭ信号を生成し、その生成されたＰＷＭ信号をスイッチング素子Ｑ１のゲートが接続される外部端子Ｔ２へ出力する。
【００２７】
なお、コントローラ７０は、ハードウェア（電子回路）で実行するものに限られず、ソフトウェアで実行するもので構成されてもよい。具体的には、コントローラ７０を、ＣＰＵ（Central  Processing  Unit）、メモリ（ＲＯＭ（Read  Only  Memory）及びＲＡＭ（Random  Access  Memory））、各種信号を入出力するための入出力バッファ等を含んで構成してもよい。ＣＰＵは、ＲＯＭに格納されているプログラムをＲＡＭ等に展開して実行する。ＲＯＭに格納されるプログラムは、コントローラ７０の処理手順が記されたプログラムである。そして、コントローラ７０は、このプログラムに従って各種処理を実行するように構成されてもよい。
【００２８】
また、コントローラ７０は、ＬＥＤ列１０に流れる電流の目標値を抵抗素子６４の抵抗値によって電圧に変換した基準電圧Ｖｒｅｆを、エラーアンプ６６の非反転入力端（＋）へ出力する。
【００２９】
以上のような構成により、このＬＥＤドライバでは、カレントドライバ６０により、ＬＥＤ列１０に流れる電流が基準電圧Ｖｒｅｆに対応する電流目標値に調整される。また、ＬＥＤ列１０のカソード側の電圧Ｖｆｂが所定値となるように、電圧Ｖｆｂに基づいてコントローラ７０によりＤＣ／ＤＣコンバータ２０が駆動される。これにより、ＬＥＤ列１０に流れる電流が目標に制御される。
【００３０】
＜ＳＢＤ２６のオープン故障＞
ＳＢＤ２６のオープン故障が発生すると、ＤＣ／ＤＣコンバータ２０からＬＥＤ列１０へ電流を供給することができず、ＬＥＤ列１０が点灯不可となる。このような故障に備えて、ＳＢＤ２６を予めスイッチング素子に置き換えた同期整流型のＤＣ／ＤＣコンバータを構成することも考えられるが、同期整流型にすると、装置の消費電力が大きくなるとともに効率も低下する。
【００３１】
そこで、本実施の形態に従うＬＥＤドライバでは、ＳＢＤ２６に並列に接続されるスイッチング素子Ｑ２が設けられる。スイッチング素子Ｑ２は、駆動装置５０内に設けられ、コントローラ７０によって駆動される。この例では、スイッチング素子Ｑ２は、Ｐ型ＭＯＳＦＥＴであるが、ＰＮＰ型バイポーラトランジスタ等であってもよい。
【００３２】
そして、コントローラ７０は、ＳＢＤ２６のオープン故障が発生していない場合は、スイッチング素子Ｑ２をオフにする。ＳＢＤ２６のオープン故障が発生すると、コントローラ７０は、スイッチング素子Ｑ１と同期してスイッチング素子Ｑ２をスイッチング駆動する。具体的には、コントローラ７０は、スイッチング素子Ｑ１，Ｑ２が相補的にオン／オフするように、スイッチング素子Ｑ１と同期してスイッチング素子Ｑ２を駆動する。
【００３３】
ＳＢＤ２６のオープン故障が発生した場合、コントローラ７０は、さらに、オープン故障が発生していない場合に比べて、カレントドライバ６０へ出力される基準電圧Ｖｒｅｆを引き下げる。なお、基準電圧ＶｒｅｆによってＬＥＤ列１０に流れる電流の大きさが定まるところ、基準電圧Ｖｒｅｆは、少なくともＬＥＤ列１０が点灯するレベルに引き下げられる。このような基準電圧Ｖｒｅｆの大きさは、ＬＥＤ列１０を構成するＬＥＤ１２の特性、個数、接続構成等に基づいて適宜決定される。
【００３４】
ＳＢＤ２６のオープン故障は、検出器８０の検出値に基づいて判定される。検出器８０は、ＳＢＤ２６のアノードが接続される外部端子Ｔ１に接続され、ＳＢＤ２６のアノードの電圧Ｖｄ（スイッチング素子Ｑ１のドレイン電圧）を検出する。コントローラ７０は、電圧Ｖｄの検出値を検出器８０から受け、電圧Ｖｄの異常上昇がみられた場合に、ＳＢＤ２６にオープン故障が発生したものと判定する。
【００３５】
なお、この例では、ＳＢＤ２６のアノードの電圧ＶｄによってＳＢＤ２６のオープン故障が発生したか否かを判定するものとしたが、電圧Ｖｄに代えて、ＳＢＤ２６のカソードの電圧、又はＳＢＤ２６に流れる電流を検出器によって検出し、その検出値によってＳＢＤ２６のオープン故障を判定してもよい。具体的には、ＳＢＤ２６のカソードの電圧の異常低下、又はＳＢＤ２６に流れる電流の異常低下がみられた場合に、ＳＢＤ２６のオープン故障が発生していると判定することができる。
【００３６】
上記のように、本実施の形態に従うＬＥＤドライバでは、ＳＢＤ２６のオープン故障に備えてＤＣ／ＤＣコンバータ２０を予め同期整流型のＤＣ／ＤＣコンバータで構成するのではなく、ＤＣ／ＤＣコンバータ２０は非同期整流型のチョッパ回路とし、ＳＢＤ２６の故障が生じない限りは、ＤＣ／ＤＣコンバータ２０を非同期整流で作動させる（スイッチング素子Ｑ２をオフ）。これにより、ＤＣ／ＤＣコンバータ２０を同期整流型で構成する場合に比べて、装置の効率の低下を抑制することができる。
【００３７】
そして、ＳＢＤ２６のオープン故障が発生した場合には、スイッチング素子Ｑ１と同期して、ＳＢＤ２６に並列に接続されたスイッチング素子Ｑ２が駆動されるので、ＬＥＤ列１０の点灯不可を回避することができる。ここで、ＬＥＤ列１０が点灯する程度に基準電圧Ｖｒｅｆが引き下げられるので、ＬＥＤ列１０ひいてはスイッチング素子Ｑ２に流れる電流が抑制される。そのため、ＳＢＤ２６のオープン故障時に駆動されるスイッチング素子Ｑ２のサイズを抑えることができる。具体的には、仮にＤＣ／ＤＣコンバータ２０を同期整流型で構成した場合には、ＳＢＤ２６に代わるスイッチング素子のサイズは、スイッチング素子Ｑ１のサイズと同等に設計され得るけれども、本実施の形態に従うＬＥＤドライバによれば、スイッチング素子Ｑ２のサイズをスイッチング素子Ｑ１のサイズよりも小さくすることができる。
【００３８】
図２は、図１に示したＬＥＤドライバの動作例を概略的に示すタイミングチャートである。図２を参照して、スイッチング素子Ｑ１のオン／オフに応じてＳＢＤ２６のアノードの電圧Ｖｄが変動し、スイッチング素子Ｑ１のオフ時に電圧Ｖｄが上昇する。
【００３９】
時刻ｔ１において、ＳＢＤ２６のオープン故障が発生したものとする。オープン故障の発生前は、スイッチング素子Ｑ１がオフしても、電圧Ｖｄがしきい値Ｖｔｈを超えることはない。なお、オープン故障が発生していない時刻ｔ１以前は、カレントドライバ６０の基準電圧ＶｒｅｆはＶ１であり、スイッチング素子Ｑ２はオフされている。
【００４０】
時刻ｔ１において、ＳＢＤ２６のオープン故障が発生すると、時刻ｔ２において、スイッチング素子Ｑ１がオフしたタイミングで、コイル２４から出力されるエネルギが行き場を失うことにより電圧Ｖｄが大きく上昇する。そして、電圧Ｖｄがしきい値Ｖｔｈを超えることによりＳＢＤ２６のオープン故障が発生したものと判定され、時刻ｔ３において、オープン故障フラグがオンになる。このオープン故障フラグは、ＳＢＤ２６の修理（交換等）によりオープン故障が解消するまでオンのままである。
【００４１】
オープン故障フラグがオンになると、ＬＥＤドライバは、故障モードで作動する。すなわち、カレントドライバ６０の基準電圧Ｖｒｅｆが、オープン故障発生前のＶ１からＶ１よりも低いＶ２に引き下げられる。そして、基準電圧Ｖｒｅｆが引き下げられると、時刻ｔ４以降、スイッチング素子Ｑ１に同期してスイッチング素子Ｑ２がスイッチング駆動される。これにより、ＳＢＤ２６のオープン故障によってＬＥＤ列１０が不点灯になるのを回避することができる。
【００４２】
なお、スイッチング素子Ｑ２が作動することにより電圧Ｖｄはしきい値Ｖｔｈを下回るけれども、ＳＢＤ２６のオープン故障が解消するまでオープン故障フラグがオンしているため、故障モードが継続され、基準電圧Ｖｒｅｆの引下げ及びスイッチング素子Ｑ２の駆動が継続される。
【００４３】
図３は、コントローラ７０により実行される処理の手順の一例を示すフローチャートである。このフローチャートに示される一連の処理は、所定周期毎に繰り返し実行される。
【００４４】
図３を参照して、コントローラ７０は、ＳＢＤ２６のオープン故障フラグがオンであるか否かを判定する（ステップＳ１０）。オープン故障フラグがオンであるときは（ステップＳ１０においてＹＥＳ）、コントローラ７０は、ステップＳ５０（後述）へ処理を移行する。
【００４５】
ステップＳ１０においてオープン故障フラグがオフであると判定されると（ステップＳ１０においてＮＯ）、コントローラ７０は、ＳＢＤ２６のアノードの電圧Ｖｄがしきい値Ｖｔｈよりも高いか否かを判定する（ステップＳ２０）。なお、電圧Ｖｄは、検出器８０（図１）により検出される。
【００４６】
ステップＳ２０において電圧Ｖｄがしきい値Ｖｔｈ以下であると判定されると（ステップＳ２０においてＮＯ）、ＳＢＤ２６のオープン故障は発生しておらず、コントローラ７０は、カレントドライバ６０へ出力される基準電圧ＶｒｅｆをＶ１（デフォルト値）とする（ステップＳ３０）。
【００４７】
一方、ステップＳ２０において電圧Ｖｄがしきい値Ｖｔｈよりも高いと判定されると（ステップＳ２０においてＹＥＳ）、コントローラ７０は、ＳＢＤ２６のオープン故障が発生したものと判断し、オープン故障フラグをオンにする（ステップＳ４０）。
【００４８】
オープン故障フラグがオンになると、コントローラ７０は、カレントドライバ６０へ出力される基準電圧ＶｒｅｆをＶ２（Ｖ２＜Ｖ１）とする（ステップＳ５０）。そして、コントローラ７０は、スイッチング素子Ｑ１に同期してスイッチング素子Ｑ２をスイッチング駆動する（ステップＳ６０）。これにより、ＬＥＤ列１０ひいてはスイッチング素子Ｑ２に流れる電流を、ＳＢＤ２６のオープン故障が発生していない場合よりも制限しつつ、ＬＥＤ列１０を点灯させることができる。
【００４９】
以上のように、この実施の形態においては、ＤＣ／ＤＣコンバータ２０は、非同期整流型の昇圧チョッパ回路によって構成されるので、仮にＤＣ／ＤＣコンバータ２０が同期整流型で構成された場合に比べて、装置の効率の低下を抑制することができる。そして、ＤＣ／ＤＣコンバータ２０のＳＢＤ２６のオープン故障が発生すると、ＤＣ／ＤＣコンバータ２０のスイッチング素子Ｑ１と同期して、ＳＢＤ２６に並列に接続されるスイッチング素子Ｑ２が駆動されるので、ＬＥＤ列１０の点灯不可を回避することができる。
【００５０】
また、ＳＢＤ２６のオープン故障が発生すると、カレントドライバ６０の基準電圧ＶｒｅｆがデフォルトのＶ１からＶ２に引き下げられ、オープン故障が発生していない場合に比べてＬＥＤ列１０ひいてはスイッチング素子Ｑ２に流れる電流が制限される。これにより、スイッチング素子Ｑ２のサイズを抑えることができる。たとえば、スイッチング素子Ｑ２のサイズをスイッチング素子Ｑ１のサイズよりも小さくすることができ、スイッチング素子Ｑ２が設けられる駆動装置５０のサイズの増加を抑えることができる。
【００５１】
なお、上記の表示装置１は、たとえば、液晶ディスプレイ（ＬＣＤ：Liquid  Crystal  Display）の光源に適用することができ、特に、車両の運転状況等をドライバに表示する車載ディスプレイの光源に好適である。上記の表示装置１によれば、ＳＢＤ２６のオープン故障が発生しても、車載ディスプレイが完全に消灯してしまうのを防止し、リンプホーム走行を行なうことができる。
【００５２】
今回開示された実施の形態は、全ての点で例示であって制限的なものではないと考えられるべきである。本発明の範囲は、上記した実施の形態の説明ではなくて特許請求の範囲によって示され、特許請求の範囲と均等の意味及び範囲内での全ての変更が含まれることが意図される。
【符号の説明】
【００５３】
１  表示装置、１０  ＬＥＤ列、２０  ＤＣ／ＤＣコンバータ、２２  電源ノード、２４  コイル、２６  ＳＢＤ、２８  キャパシタ、５０  駆動装置、６０  カレントドライバ、６２，Ｑ１，Ｑ２  スイッチング素子、６４  抵抗素子、６６  エラーアンプ、７０  コントローラ、８０  検出器、Ｔ１〜Ｔ５  外部端子。 
【図１】
2020198243.tif 000003
【図２】
2020198243.tif 000004
【図３】
2020198243.tif 000005